(57)【要約】【課題】  時間の経過と共に劣化（変質風化）することなく恒常性を持っており、かつ、納骨室の壁等に簡単に取り付けることができると共に、汎用性に優れた守護神等表示プレートを提供する。【解決手段】  四神、四天王等の各守護神の姿をそれぞれの表面に設けたところの容易に変質風化しない材料で構成したところの適宜大きさを有する少なくとも４つの板材８１と、これらの板材８１を墓の納骨室を構成する内壁や建物の外壁又は内壁等の壁部８５に取り付ける取付手段８２とを備えたことにより、前記課題を解決した。【選択図】        図１
2008297846.tif 000002
【特許請求の範囲】
【請求項１】
四神、四天王等の各守護神の姿をそれぞれの表面に設けたところの容易に変質風化しない材料で構成したところの適宜大きさを有する少なくとも４つの板材と、これらの板材を墓の納骨室を構成する内壁や建物の外壁又は内壁等の壁部に取り付ける取付手段とを備えたことを特徴とする、守護神等表示プレート。
【請求項２】
前記守護神の中に五大明王を含めたことを特徴とする、請求項１に記載の守護神等表示プレート。
【請求項３】
前記各板材は、御影石、大理石等の石材、ガラス、合成樹脂材で形成されていることを特徴とする、請求項１又は２に記載の守護神等表示プレート。
【請求項４】
前記各板材は、円形状、矩形状、楕円形状又は多角形状に形成されていることを特徴とする、請求項１〜３のいずれか１項に記載の守護神等表示プレート。
【請求項５】
前記板材の表面に、前記守護神が凹凸状に刻設されていることを特徴とする、請求項１〜４のいずれか１項に記載の守護神等表示プレート。
【請求項６】
前記板材は、黒御影石で円形状又は矩形状に形成され、この板材の表面に、前記守護神の姿がレーザー彫刻機や影彫り等を用いて凹凸状に刻設されていることを特徴とする、請求項１〜５のいずれか１項に記載の守護神等表示プレート。
【請求項７】
前記取付手段が、接着剤、接着セメント、取付孔、凹部であることを特徴とする、請求項１に記載の守護神等表示プレート。
【請求項８】
骨壷等が安置される納骨室を有する墓石構造物であって、
前記納骨室は、棚板によって上下に２段に形成され、上方の納骨室は、前面が開放されたコ字状の３つの上側壁で形成されていると共に、下方の納骨室は、４つの下側壁で区画形成され、
前記３つの上側壁及び前面側に位置される前記下側壁の少なくとも４つの壁に、四神、四天王等の４つの守護神の姿がそれぞれ表面に設けられている容易に変質風化しない材料で構成したところの適宜大きさを有する４つの板材を方位に合わせて取り付けたことを特徴とする、墓石構造物。
【請求項９】
前記守護神の中に五大明王を含めたことを特徴とする、請求項８に記載の墓石構造物。
【請求項１０】
前記板材は、御影石、大理石等の石材、ガラス、又は合成樹脂材で形成されていることを特徴とする、請求項８又は９に記載の墓石構造物。
【請求項１１】
前記板材は、円形状、矩形状、楕円形状又は多角形状に形成されていることを特徴とする、請求項８〜１０のいずれか１項に記載の墓石構造物。
【請求項１２】
前記板材の表面に、前記守護神が凹凸状に刻設されていることを特徴とする、請求項８〜１１のいずれか１項に記載の墓石構造物。
【請求項１３】
前記板材は、黒御影石で円形状又は矩形状に形成され、この板材の表面に、前記守護神の姿がレーザー彫刻機や影彫り等を用いて凹凸状に刻設されていることを特徴とする、請求項８〜１２のいずれか１項に記載の墓石構造物。
【発明の詳細な説明】
【技術分野】
【０００１】
本発明は、人が居住する建物や部屋の壁部、或はご先祖様の遺骨を納めた納骨室等の壁部に取り付けて、そこに住む人の安全な生活や、ご先祖様の霊の安逸な眠りを願うために用いる、守護神等表示プレート及び墓石構造物に関するものである。
【背景技術】
【０００２】
古来、わが国では、青龍、朱雀、白虎、及び玄武から成る四神や、持国天、増長天、広目天、及び多聞天から成る四天王が、東西南北の四方位を守護する守護神であるとされている。この守護神の中に五大明王を加える向きもある。したがって、前記四神や五大明王を個々に表示したお札や紙片を部屋や建物の四方の壁部に取り付けるということを実際に実践している人もいる。ご先祖様の遺骨が納められた納骨室にあっても、その壁部の内側に仏像や神社等が表示された陶板を固定することが提案されている（例えば、文献１参照。）。また、納骨室を区画形成する４つの側壁石に、その方位にあわせて四神を描くことも提案されている（例えば、文献２参照。）。
【特許文献１】特開平７−４２４１３号公報
【特許文献２】特許第３７７８８９６号公報
【発明の開示】
【発明が解決しようとする課題】
【０００３】
四神や四天王を表示したお札や紙片は、時と共に古くなり、取り替えるか燃やしてしまうことになり、永続性を持たないという欠点がある。他方、文献１に記載されている墓石構造物では、壁の内面に図柄模様等が施された陶板を固定して納骨室の美観を付与することができるが、４つの側壁の内面全面及び底壁の表面全面に陶板を固定し難いと共に汎用性が悪い。すなわち、４つの側壁及び底壁の表面全面に陶板を隙間なく固定することは困難で、特に、既存の納骨室の４つの側壁の内面全面及び底壁の表面全面に陶板を見栄えよく固定し難い。また、陶板で納骨室を区画形成するように陶板を固定するために、納骨室の形状が異なると、納骨室の形状に応じた陶板を形成しなければならず、汎用性が悪く、高価なものとなってしまう。
【０００４】
また、文献２に記載されている墓石構造物では、納骨室の４つの側壁石に、その方位にあわせて各方位の守護神である四神を描くことで、ご先祖様を安らかにお守りできると思われているが、既存の納骨室の壁に図柄模様特に四神のような細かな図柄模様を描くことは困難な場合があり、そのようなものは、時間の経過とともに劣化してしまう。
【０００５】
本発明は、前記課題を解決するためになされたものであって、その目的は、時間の経過と共に劣化（変質風化）することなく恒常性を持っており、かつ、納骨室の壁等に簡単に取り付けることができると共に、汎用性に優れた守護神等表示プレート及びこの守護神等表示プレートを用いた墓石構造物を提供することにある。
【課題を解決するための手段】
【０００６】
前記の目的を達成するための本発明に係る守護神等表示プレートは、四神、四天王等の各守護神の姿をそれぞれの表面に設けたところの容易に変質風化しない材料で構成したところの適宜大きさを有する少なくとも４つの板材と、これらの板材を墓の納骨室を構成する内壁や建物の外壁又は内壁等の壁部に取り付ける取付手段とを備えたことを特徴とする。
【０００７】
この発明によれば、四神、四天王等の各守護神の姿をそれぞれの表面に設けた少なくとも４つの板材は、容易に変質風化しない材料で構成したところの適宜大きさを有しているために、時間の経過と共に劣化（変質風化）することがなく、恒常性を持っている。また、板材を墓の納骨室を構成する内壁や建物の外壁又は内壁等の壁部に取り付ける取付手段と備えたので、納骨室の壁等に簡単に取り付けることができ、汎用性に優れている。
【０００８】
本発明に係る守護神等表示プレートにおいて、前記守護神の中に五大明王を含めることが好ましい。また、本発明に係る守護神等表示プレートにおいて、前記各板材は、御影石、大理石等の石材、ガラス、合成樹脂材で形成されていることが好ましい。また、本発明に係る守護神等表示プレートにおいて、前記各板材は、円形状、矩形状、楕円形状又は多角形状に形成されていることが好ましい。また、本発明に係る守護神等表示プレートにおいて、前記板材の表面に、前記守護神が凹凸状に刻設されていることが好ましい。また、本発明に係る守護神等表示プレートにおいて、前記板材は、黒御影石で円形状又は矩形状に形成され、この板材の表面に、前記守護神の姿がレーザー彫刻機や影彫り等を用いて凹凸状に刻設されていることが好ましい。また、本発明に係る守護神等表示プレートにおいて、前記取付手段が、接着剤、接着セメント、取付孔、凹部であることが好ましい。
【０００９】
また、前記の目的を達成するための本発明に係る墓石構造物は、骨壷等が安置される納骨室を有する墓石構造物であって、前記納骨室は、棚板によって上下に２段に形成され、上方の納骨室は、前面が開放されたコ字状の３つの上側壁で形成されていると共に、下方の納骨室は、４つの下側壁で区画形成され、前記３つの上側壁及び前面側に位置される前記下側壁の少なくとも４つの壁に、四神、四天王等の４つの守護神の姿がそれぞれ表面に設けられている容易に変質風化しない材料で構成したところの適宜大きさを有する４つの板材を方位に合わせて取り付けたことを特徴とする。
【００１０】
この発明によれば、四神、四天王等の各守護神の姿をそれぞれの表面に設けた少なくとも４つの板材は、容易に変質風化しない材料で構成したところの適宜大きさを有しているために、時間の経過と共に劣化（変質風化）することがなく、恒常性を持っている。
【００１１】
本発明に係る墓石構造物において、墓石構造物前記守護神の中に五大明王を含めることが好ましい。また、本発明に係る墓石構造物において、前記板材は、御影石、大理石等の石材、ガラス、又は合成樹脂材で形成されていることが好ましい。また、本発明に係る墓石構造物において、前記板材は、円形状、矩形状、楕円形状又は多角形状に形成されていることが好ましい。また、本発明に係る墓石構造物において、前記板材の表面に、前記守護神が凹凸状に刻設されていることが好ましい。また、本発明に係る墓石構造物において、前記板材は、黒御影石で円形状又は矩形状に形成され、この板材の表面に、前記守護神の姿がレーザー彫刻機や影彫り等を用いて凹凸状に刻設されていることが好ましい。
【発明の効果】
【００１２】
以上説明したように本発明に係る守護神等表示プレート及び墓石構造物によれば、四神、四天王等の各守護神の姿をそれぞれの表面に設けたところの容易に変質風化しない材料で構成したところの適宜大きさを有する少なくとも４つの板材と、これらの板材を墓の納骨室を構成する内壁や建物の外壁又は内壁等の壁部に取り付ける取付手段とを備えたので、恒常性を持ち、建物や部屋、及び納骨室の壁部等に簡単に取り付けることができると共に、汎用性に優れ、かつ、建物や部屋に居住する人やご先祖様を守護することができるという、安心感を覚えさせることができる。
【発明を実施するための最良の形態】
【００１３】
以下、本発明に係る守護神等表示プレート及び墓石構造物を添付図面に基づいて詳述する。
【００１４】
図１は本発明に係る守護神等表示プレートの一例を示す図である。図２〜図４は本発明に係る板材の例を示す図である。図５〜図８は本発明に係る墓石構造物の一例を示す図である。図９は本発明に係る納骨室内の一例を示す図である。本発明に係る守護神等表示プレートは、図１に示すように、四神、四天王等の各守護神８０（図２〜図４参照。）の姿をそれぞれの表面に設けたところの容易に変質風化しない材料で構成したところの適宜大きさを有する少なくとも４つの板材８１と、これらの板材８１を墓の納骨室３（図７及び図９参照）を構成する内壁や建物の外壁又は内壁等の壁部８５に取り付ける取付手段とを備えたことを特徴とする。
【００１５】
この本発明に係る守護神８０は、青龍、朱雀、白虎、及び玄武から成る四神や、持国天、増長天、広目天、及び多聞天から成る四天王等の東西南北の四方位を守護するものであるが、これに限定されず、東西南北の四方位を守護するものが含まれているものであれば特に限定されず、例えば、五大明王等でもよい。すなわち、守護神８０の姿は、東西南北の４方位にそれぞれ位置されると共に、ご先祖様等を安らかにお守りすることができる等の図柄模様、例えば、四神、四天王、五大明王等である（図２〜図４参照。）。従って、本発明に係る守護神等表示プレート８は、守護神８０の姿に応じて板材８１の個数が異なり、例えば、四神や四天王等の守護神８０の姿が４つの場合には板材８１は４つで（図２及び図３参照。）、五大明王等の東西南北の四方位を守護する守護神の他に守護神が含まれている場合には板材８１が５つ以上になる（図４参照。）。なお、実施の形態では、守護神８０の姿について特に限定しないと共に板材８１を４つ備えた場合について説明するが、これに限定されるものではない。
【００１６】
板材８１は、容易に変質風化しない材料、例えば、御影石、大理石等の石材、ガラス、木材（表面処理等がされて容易に変質風化しない木材等）又は合成樹脂材等で形成されていることが好ましい。板材８１の形状は、特に限定されず、円形状（図２、図７及び図９参照。）、矩形状（図３及び図４参照。）、楕円形状又は多角形状等の平板状に形成されていることが好ましい。板材８１としては、例えば、黒御影石で円形状又は矩形状の平板状に形成されていることが好ましい。板材８１の大きさは、特に限定されないが、壁部８５の一部、例えば、納骨室を形成する壁の中央部に取り付け得る大きさであることが好ましい（図７及び図９参照）。
【００１７】
板材８１の表面への守護神８０の姿は、どのような手段を用いて設けるようにしてもよいが、凹凸状に刻設されていることが好ましい。この守護神８０の姿の板材８１の表面への刻設は、特に限定されず、例えば、レーザー彫刻機や影彫り等を用いて行うようにすることが好ましい。また、板材８１には、守護神８０の姿が鮮明になる等により表面加工により研磨するようにしてもよい。例えば、板材８１の表面の一部にブラスト加工を施して、ブラスト加工が施されたつや消し面と残部の鏡面とで守護神の姿が鮮明に描出されるようにしてもよい。
【００１８】
また、板材８１を壁部８５等に取り付ける取付手段８２としては、板材８１を墓の納骨室を区画する内壁や建物は部屋の外壁又は内壁等の壁部８５等に取り付けることができれば、特に限定されず、例えば、エポキシ系接着剤（セラミック系接着剤など）等の接着剤８３を用いてもよい。この接着剤８３によって板材８１が、建物や部屋の壁部８５に取り付けられ、或は墓石構造物１の納骨室３の内側の壁部８５等に取り付けられるものである。また、取付手段８２としては、接着剤８３に限定されず、他の取付手段、例えば、接着セメント、モルタルなどの取付材料、取付孔、係合用の凹部、ボルトナットなどの取付部材、フック、クランプなどの金具等の係合部材、磁石などの吸着部材等を用いるようにしてもよい。
【００１９】
本発明に係る墓石構造物は、図５〜図９に示すように、骨壷等が安置される納骨室３を有するものであって、納骨室３は、棚板１７によって上下に２段に形成され、上方の納骨室３ａは、前面が開放されたコ字状の３つの上側壁で形成されていると共に、下方の納骨室３ｂは、４つの下側壁で区画形成され、３つの上側壁及び前面側に位置される下側壁の少なくとも４つの壁の中央部に、四神、四天王等の４つの守護神８０の姿がそれぞれ表面に設けられている容易に変質風化しない材料で構成したところの適宜大きさを有する少なくとも４つの板材８１を方位にあわせて取り付けたことに特徴がある。墓石構造物１としては、納骨室３を備えるものであれば特に限定されず、例えば、基礎２上に複数の墓石石材を互いに重層させてなるものである。
【００２０】
基礎２は、例えば、コンクリート現場打設施工で左右に長い矩形板状に形成されている。この基礎２の左右方向の略中央部であって前後方向中央部より若干後方側には、貫通する矩形状の凹部２１が設けられている。この基礎２には、地中に打ち込んだ例えばくい等の支柱２５が備えられている。支柱２５が打ち込まれる箇所は、特に限定されないが、例えば、基礎２上に重層された複数の墓石石材の重量が作用する箇所等である。この支柱２５の上部を含んでコンクリートが打設されて基礎２が形成される。基礎２の凹部２１の両側部（左右部分）の略中央部と後部近傍には、基礎２の下面の一部を切り欠いたような矩形凹状の装着部２３がそれぞれ設けられている。
【００２１】
墓石石材は、例えば、基礎２上に構築される納骨室形成石１１と、この納骨室形成石１１上に積層される芝台１２と、この芝台１２上に順次積層される中台１３及び上台１４と、この上台１４上に積層されるスリン１５と、このスリン１５上に積層され、重力方向に延びる竿石１６とで構成されている。
【００２２】
納骨室形成石１１は、例えば、基礎２上にその凹部２１を前方が開放された状態で取り囲むと共に上方が矩形板状の芝台１２で閉塞された例えばコ字状に形成されている。この納骨室形成石１１及び芝台１２で形成される空間と凹部２１により形成される空間とで納骨室３が形成されている。この納骨室３は、棚板１７によって上下に２段に形成されている。すなわち、上方の納骨室は、前面が開放されたコ字状の３つの上側壁で形成されている納骨室形成石１１、芝台１２及び棚板１７で形成される空間である。下方の納骨室は、４つの下側壁で区画形成される凹部２１及び棚板１７で形成される空間である。主に棚板１７の上に遺骨・遺品（髪・爪など）等が収納される。
【００２３】
基礎２上の納骨室形成石１１の前端部の外側には、左右方向に基礎２の両側部までそれぞれ延びる中仕切である前面基礎石４１がそれぞれ設けられている。基礎２の両側部の前面基礎石４１より後方側には、側部基礎石４２がそれぞれ設けられている。また、基礎２の後端部には、後部基礎石４３が設けられている。すなわち、前面基礎石４１、側部基礎石４２及び後部基礎石４３によって基礎２上に納骨室形成石１１の側部及び後部が枠状に囲まれている。これら基礎石４１、４２、４３は、例えば、基礎石固定手段（図示せず）によってそれぞれ基礎２に固定されている。また、前面基礎石４１、側部基礎石４２及び後部基礎石４３によって形成された空間の上部が、床石４４によって閉塞されている。この床石４４の上面の位置と納骨室形成石１１の上面の位置とが略同一平面上になるように構成されていることが好ましい。
【００２４】
両側部基礎石４２には、それぞれ風窓４８が設けられており、前面基礎石４１、側部基礎石４２、後部基礎石４３及び床石４４によって形成される空間（内部空間４５ということがある。）の通気性が良好になっている。また、両側部基礎石４２等の前方の基礎２上には、親柱石４６がそれぞれ立設されている。また、親柱石４６間であって前面基礎石４１の前方の基礎２上には、敷石４７が設けられている。また、床石４４や敷石４７上には、墓誌等の石碑が設置されていることもある。
【００２５】
納骨室形成石１１の両側壁である両柱石１１ａには、それぞれ納骨室３と外部を内部空間４５を介して連通する通気孔５０が設けられており、納骨室３の通気性が良好になっている。
【００２６】
また、両柱石１１ａには、納骨室３の開口部を開閉するための一対の左右開き戸６１、６２からなる観音開き戸６０が設けられている。一対の左右開き戸６１、６２の前面には、取っ手６３が設けられており、一対の左右開き戸６１、６２の開閉が容易になっている。一対の左右開き戸６１、６２の取付は、特に限定されず、例えば、蝶番６５を用いて行うことが好ましい。
【００２７】
中台１３は、水平方向の断面が芝台１２の上面より若干小さな矩形状の直方体状に形成されている。上台１４は、水平方向の断面が中台１３の上面より若干小さな矩形状の直方体状に形成されている。竿石１６は、水平方向の断面が上台１４の上面より若干小さな矩形状であって重力方向に延びた直方体状に形成されている。
【００２８】
墓石石材を基礎２に連結固定するための連結固定手段が設けられていることが好ましい。連結固定手段としては、特に限定されないが、例えば、最上部の墓石石材以外の墓石石材、すなわち、竿石１６以外の墓石石材内を貫通して高さ方向（重力方向）に延びる締付ネジ７０を用いて行うようにしてもよい。締付ネジ７０の個数は、特に限定されず、１つでも２つ以上でもよいが、例えば、１つである。
【００２９】
締付ネジ７０は、例えば、周面にねじ溝が螺設された棒状のネジ等であり、１本のネジであってもよいが、上部締付ネジ７１及び下部締付ネジ７２の２本のネジと、これらネジ７１、７２を連結する締結部材とからなることが好ましい。上部締付ネジ７１は、芝台１２、中台１３、上台１４及びスリン１５を貫通する寸法で形成されていることが好ましい。また、下部締付ネジ７２は、基礎２内に位置される寸法、例えば基礎２の厚さの半分以下の寸法で形成されていることが好ましい。締結部材は、上部締付ネジ７１と下部締付ネジ７２を連結すると共に、上部締付ネジ７１と下部締付ネジ７２の間の長さを調節して（可変させて）墓石石材を基礎２に連結固定するものであり、納骨室３内に位置されていることが好ましい。締結部材としては、特に限定されず、例えば、ターンバックル７５等が挙げられる。
【００３０】
芝台１２、中台１３、上台１４及びスリン１５の幅方向及び前後方向の略中央部には、上下方向に貫通する連結孔１２ｂ、１３ｂ、１４ｂ、１５ｂがそれぞれ設けられており、これら連結孔１２ｂ、１３ｂ、１４ｂ、１５ｂに上部締付ネジ７１が挿通される。芝台１２の連結孔１２ｂは、上部締付ネジ７１に螺合される締付部材例えば締付ボルト３１の螺合部３１ｂが挿通し得る径、すなわち、締付部材の直径より若干大きな寸法で形成されていることが好ましい。この連結孔１２ｂの上面側（芝台１２の上面側）は、拡径されて締結凹部１２ａとして形成され、この締結凹部１２ａに締付ボルト３１のヘッド３１ａが収容される。
【００３１】
締付ボルト３１は、ヘッド３１ａと、外表面にねじ溝が螺設されている螺合部３１ｂと、その同軸上に上部締付ネジ７１に螺合される螺合孔３１ｃとを有するものである。この締付ボルト３１の長さは芝台１２を貫通する寸法で形成されていることが好ましい。すなわち、締付ボルト３１は、ヘッド３１ａが例えばワッシャー３３を介して締結凹部１２ａに収容された状態で下部が芝台１２の下面から突出し、この下部にダブルナット３２が螺合されている。ダブルナット３２は、芝台１２の下面に接してダブルナット３２の上部ナット３２ａ及び下部ナット３２ｂを締付ボルト３１に対して回転させることによって、芝台１２の基礎２への締付を行ったり締付を緩めたりできるようになっている。
【００３２】
中台１３の連結孔１３ｂ、上台１４の連結孔１４ｂ及びスリン１５の連結孔１５ｂの直径は、締付ボルト３１のヘッド３１ａの径（締付ボルト３１の軸方向に対して直交する方向のヘッド３１ａの最大長さ）より大きな寸法で形成されていることが好ましく、例えば、芝台１２の締結凹部１２ａの直径より若干大きな寸法で形成されていることが特に好ましい。これら中台１３の連結孔１３ｂ、上台１４の連結孔１４ｂ及びスリン１５の連結孔１５ｂの径は、順に大きな寸法で形成されていてもよいが、略同一の寸法で形成されていることが好ましい。
【００３３】
これらの連結孔１３ｂ、１４ｂ、１５ｂ内に横ずれ防止部材を設けるようにしてもよいが、例えば、中台１３の連結孔１３ｂの略中央部から上台１４の連結孔１４ｂの略中央部まで内に横ずれ防止部材３４を設けることが好ましい。横ずれ防止部材３４としては、特に限定されないが、例えば、塩化ビニル等で形成されていることが好ましい。横ずれ防止部材３４は、例えば、内径が上部締付ネジ７１の径より若干大きな寸法で、外径が連結孔１３ｂ、１４ｂの径より若干小さな寸法の円筒状に形成されていることが好ましい。この横ずれ防止部材３４を中台１３の連結孔１３ｂの略中央部から上台１４の連結孔１４ｂの略中央部までの間に位置されるように、上部締付ネジ７１に例えばナット３７を設けるようにしてもよい。ナット３７は、横ずれ防止部材３４の下端部だけでもよいが、上端部と下端部の両方に設けるようにすることが好ましい。なお、横ずれ防止部材３４は、２つの連結孔１３ｂ、１４ｂに挿入されているが、これに限定されるものではなく、３つ以上の連結孔に１つの横ずれ防止部材を挿入するようにしてもよい。
【００３４】
スリン１５の連結孔１５ｂの上面側（スリン１５の上面側）は、拡径されて締結凹部１５ａとして形成され、この締結凹部１５ａに締付ネジ７０に螺合された締付部材例えばナット３８等がワッシャー３９を介して収容されている。ナット３８は、締結凹部１５ａに収容し得る任意の大きさで形成されている。ワッシャー３９の径は、締結凹部１５ａの径より小さく連結孔１５ｂの径より大きな寸法、例えば、締結凹部１５ａの径より若干小さな寸法で形成されていることが好ましい。
【００３５】
竿石１６の下面の幅方向及び前後方向の略中央部には、高さ方向に延び、上部締付ネジ７１の上端部が挿入されるネジ固定凹部１６ａが設けられている。このネジ固定凹部１６ａには、当該ネジ固定凹部１６ａに挿入された上部締付ネジ７１の上端部を固着する接着剤２６が注入されている。接着剤２６としては、上部締付ネジ７１の竿石１６への固着を行えるならば特に限定されず、例えば、セラミック系接着剤などのエポキシ系接着剤等が用いられる。ネジ固定凹部１６ａ内又は上部締付ネジ７１の上部内には、加熱手段（図示せず）が設けられていることが好ましい。加熱手段は、特に限定されず、例えば、カートリッジヒーター等であり、ネジ固定凹部１６ａに注入して上部締付ネジ７１の上端部を竿石１６に固着させた接着剤２６に熱を作用させてその接着剤２６の接着力を不能にするものである。
【００３６】
納骨室形成石１１は、例えば、基礎２上にその凹部２１を前方が開放された状態で取り囲む略コ字状に形成されている。この納骨室形成石１１の３つの内面には、納骨室壁部１１ｂがそれぞれ設けられている。納骨室壁部１１ｂとしては、見た目高級感を与えることができる石材等で形成されていることが好ましく、例えば、御影石等で形成されている。なお、納骨室形成石１１を納骨室壁部１１ｂと同じ石材等で形成して納骨室壁部１１ｂを省略するようにしてもよい。納骨室壁部１１ｂの表面は、表面加工により研磨されていることが好ましい。納骨室壁部１１ｂのうち少なくとも両側部側の納骨室壁部１１ｂの内面の下方は、突出した段状に段部１１ｃとして形成されている。これら突出した納骨室壁部１１ｂの段部１１ｃには、通気孔５０が設けられている。また、後部側の納骨室壁部１１ｂには段部１１ｃを設けても設けなくてもどちらでもよい。後部側の納骨室壁部１１ｂの段部１１ｃ又は段部１１ｃに対応する箇所には、通気孔５０が設けられている。また、両側部側の納骨室壁部１１ｂの段部１１ｃ上には、棚板１７が載置された状態で設けられている。
【００３７】
棚板１７は、例えば、納骨室壁部１１ｂと同じ石材等で形成されていることが好ましい。なお、棚板１７は、見た目高級感を与えることができる石材等で形成されているならば、納骨室壁部１１ｂと同じ石材等で形成されていなくてもよい。棚板１７は、例えば、矩形平板状に形成された２枚の第１棚板１７ａ、第２棚板１７ｂによりなる。第１棚板１７ａは、締付ネジ７０より後部側に配置される矩形平板状に形成されている。第２棚板１７ｂは、第１棚板１７ａと略同じ矩形平板状に形成されていると共に、締付ネジ７０が挿通されている箇所が凹んでいる。この棚板１７の下方、すなわち、主に基礎２の凹部２１により形成されている空間が納骨室の一部例えば下方の納骨室３ｂとして形成されている。つまり、棚板１７上の空間が上方の納骨室３ａとして形成されている。
【００３８】
上方の納骨室３ａを形成する３つの上側壁である納骨室壁部１１ｂ及び、前面側に位置されると共に凹部２１を形成する下側壁２１ａの４つの壁の中央部に、本発明に係る守護神等表示プレート８の４つの板材８１が方位にあわせて例えば接着剤８３によってそれぞれ取り付けられている。
【００３９】
次に本発明に係る墓石構造物１を構築する場合について説明する。まず、基礎２を形成する箇所中の所望の箇所の地中に支柱２５例えば塩化ビニルパイルを打ち込んでからコンクリートを打設して基礎２を形成する。基礎２を形成した後に、基礎２の凹部２１上を前方が開放されたコ字状に取り囲んで納骨室形成石１１を積層する。この納骨室形成石１１上に芝台１２を積層して納骨室形成石１１の上方を閉塞することにより、納骨室３が形成される。このとき、納骨室形成石１１の内面に納骨室壁部１１ｂを設け、この納骨室壁部１１ｂの段部１１ｃに棚板１７を載置して設ける。これにより、納骨室３は棚板１７によって上方の納骨室３ａと下方の納骨室３ｂとに区画形成される。また、上方の納骨室３ａの開口には一対の左右開き戸６１、６２からなる観音開き戸６０を蝶番６５を介して設けるが、一対の左右開き戸６１、６２の取付は、納骨室形成石１１を形成する前でも後でも形成しながらでも特に限定されない。
【００４０】
芝台１２を納骨室形成石１１上に積層する前には、例えば、予め基礎２の下面の両装着部２３に細長矩形板状の装着板例えばステンレス製の装着板７７を掛け渡す。装着板７７の長手方向略中央部には、下部締付ネジ７２が挿通する貫通孔７７ａが設けられている。この装着板７７の貫通孔７７ａに下部締付ネジ７２を挿通させ、この下部締付ネジ７２の下端部に締結部材９０例えばナット３８を螺合させる。この下部締付ネジ７２の下端部にターンバックル７５を螺合させる。
【００４１】
芝台１２積層後、その連結孔１２ｂに上部締付ネジ７１を挿通させてから締付ボルト３１の螺合部３１ｂを連結孔１２ｂに挿通させつつそのヘッド３１ａを芝台１２の締結凹部１２ａに収容する。なお、上部締付ネジ７１には、所定の位置に予め締付ボルト３１を螺合させておく。上部締付ネジ７１及び締付ボルト３１の連結孔１２ｂへの挿通を行うとき、上部締付ネジ７１の下端部が連結孔１２ｂを貫通して芝台１２の下面から突出するので、この下端部の軸周りにワッシャー（図示せず）を介してダブルナット３２を装着する。ダブルナット３２装着後、上部締付ネジ７１の下端部をターンバックル７５に螺合させてから、ダブルナット３２を締付ボルト３１の螺合部３１ｂの下部に螺合させる。
【００４２】
そして、芝台１２上に中台１３及び上台１４を順次積層する。この積層は、各連結孔１３ｂ、１４ｂに芝台１２から突出する上部締付ネジ７１を挿通させつつ順次行う。このとき、中台１３及び上台１４の連結孔１３ｂ、１４ｂに横ずれ防止部材３４を挿入するには、中台１３及び上台１４を積層する前に、上部締付ネジ７１の横ずれ防止部材３４の下端部となる位置にナット３７を螺合させておき、中台１３及び上台１４を積層後に連結孔１３ｂ、１４ｂに横ずれ防止部材３４を挿入する。挿入後、必要に応じて横ずれ防止部材３４の上端部に接するようにナット３７を上部締付ネジ７１に螺合させるようにする。
【００４３】
上台１４上に、連結孔１５ｂに上部締付ネジ７１を挿通させつつスリン１５を積層する。この上部締付ネジ７１の上端部からワッシャー３９を通してこのワッシャー３９を締結凹部１５ａの底部に接触させる。この上部締付ネジ７１の上端部に締結部材９０例えばナット３８を螺合させ、このナット３８をワッシャー３９を介して締結凹部１５ａに収容してナット３８の装着を行う。
【００４４】
ナット３８の装着後、納骨室３に収容されているターンバックル７５を上部締付ネジ７１及び下部締付ネジ７２に対して回転させて上部締付ネジ７１と下部締付ネジ７２間の長さを短くし、ナット３８を介して基礎２にスリン１５、上台１４、中台１３、芝台１２及び納骨室形成石１１が押し付けられて一体的に連結固定される。連結固定後、ダブルナット３２を芝台１２の下面に当接させてから下部ナット３２ｂを締付ボルト３１に対して回転させることによって、芝台１２の基礎２への締付をさらに確実に行う。
【００４５】
次に、スリン１５上に竿石１６を積層する。このとき、竿石１６を積層する前、例えば、直前にネジ固定凹部１６ａ内に例えばエポキシ系接着剤を充填しておき、竿石１６を積層したときにネジ固定凹部１６ａ内の接着剤の接着効果により上部締付ネジ７１の上端部に竿石１６を固着するようにする。これにより、竿石１６、スリン１５、上台１４、中台１３、芝台１２及び納骨室形成石１１の６つの墓石石材が基礎２に一体的に連結固定されて、墓石構造物１が構築される。このように、墓石構造物１は、締付ネジ７０によって竿石１６等の墓石石材が基礎２に連結固定されてなるために、地震等により揺れても基礎２に対して竿石１６等の墓石石材が横ずれしないと共に転倒することがない。
【００４６】
また、このように構築された墓石構造物１では、上方の納骨室３ａを形成する３つの納骨室壁部１１ｂ及び、前面側に位置されると共に凹部２１を形成する下側壁２１ａの合計４つの壁の中央部には、本発明に係る守護神等表示プレート８の４つの板材８１が方位にあわせて例えば接着剤８３によって取り付ける。これにより、板材８１には、それぞれ四神、四天王、五大明王等の４つの守護神８０の姿、例えば、四神の守護神８０の姿が表面に設けられているので、ご先祖様を安らかにお守りすることが可能となる。
【００４７】
また、取付手段８２として接着剤８３を用いることで、４つの板材８１の裏面に接着剤８３を設けることで、納骨室壁部１１ｂや凹部２１の下側壁２１ａの所望の箇所に簡単に取り付けて固定することができる。このように、４つの板材８１の裏面に接着剤８３が設けられていることで、既存の納骨室３を形成する壁や建物の外壁・内壁の所望の箇所に板材８１を簡単に取り付けることができる。従って、本発明に係る守護神等表示プレート８は、四神、四天王、五大明王等の各守護神８０の姿がそれぞれの表面に設けられ、容易に変質風化しない材料、例えば、御影石、大理石等の石材、ガラス、木材（表面処理等がされて容易に変質風化しない木材等）又は合成樹脂材等で形成されている板材８１と、取付手段８２とを備えるために、時間の経過と共に劣化（変質風化）することなく恒常性を持っており、かつ、納骨室の壁等に簡単に取り付けることができると共に、汎用性に優れたものである。
【００４８】
また、板材８１の表面にレーザー彫刻機や影彫り等を用いて守護神８０の姿が凹凸状に刻設されていることで、板材８１に設けられている四神、四天王、五大明王等の守護神の姿が一層劣化し難いので、四神、四天王、五大明王等の守護神８０の姿を長期間鮮明に板材８１上に描出させることができる。また、板材８１の表面をブラスト加工等を施して、ブラスト加工が施されたつや消し面と残部の鏡面とで守護神８０の姿をより鮮明に描出させることができる。特に、板材８１を黒御影石で形成し、この板材８１の表面にレーザー彫刻機や影彫り等を用いて守護神８０の姿を刻設してからブラスト加工等を施すことにより、板材８１上に守護神８０の姿が濃淡でより一層鮮明に長期間描出されることになる。
【００４９】
また、納骨室壁部１１ｂや棚板１７が見た目高級感を与えることができる石材等、例えば、御影石等で形成されていることにより、上方の納骨室３ａは美観に優れたものとなる。その結果、納骨の際には、納骨室が粗末な感じを与える場合に比して遺族の悲しみを多少和らげることが可能となる。
【産業上の利用可能性】
【００５０】
以上説明したように本発明に係る守護神等表示プレートは、四神、四天王等の各守護神の姿をそれぞれの表面に設けたところの容易に変質風化しない材料で構成したところの適宜大きさを有する少なくとも４つの板材と、これらの板材を墓の納骨室を構成する内壁や建物の外壁又は内壁等の壁部に取り付ける取付手段とを備えたので、恒常性を持ち、建物や部屋、及び納骨室の壁部等に簡単に取り付けることができると共に、汎用性に優れ、かつ、建物や部屋に居住する人やご先祖様を守護することができるという、安心感を覚えさせることができることから、特に納骨室の壁等に取り付けて納骨室の雰囲気を高めることができるものである。
【図面の簡単な説明】
【００５１】
【図１】本発明に係る守護神等表示プレートの一例を示す断面図である。
【図２】本発明に係る四神の図柄模様が設けられた板材の一例を示す正面図である。
【図３】本発明に係る四天王の図柄模様が設けられた板材の一例を示す正面図である。
【図４】本発明に係る五大明王の図柄模様が設けられた板材の一例を示す正面図である。
【図５】本発明に係る墓石構造物の一例を示す正面図である。
【図６】図５中Ａ−Ａ線矢視図である。
【図７】図５中Ｂ−Ｂ線矢視断面図である。
【図８】図５中Ｃ−Ｃ線矢視図である。
【図９】本発明に係る納骨室内の一例を示す図である。
【符号の説明】
【００５２】
１  墓石構造物
３  納骨室
３ａ  上方の納骨室
３ｂ  下方の納骨室
８  守護神等表示プレート
８０  守護神
８１  板材
８２  取付手段
８３  接着剤
８５  壁部
【図１】
2008297846.tif 000003
【図２】
2008297846.tif 000004
【図３】
2008297846.tif 000005
【図４】
2008297846.tif 000006
【図５】
2008297846.tif 000007
【図６】
2008297846.tif 000008
【図７】
2008297846.tif 000009
【図８】
2008297846.tif 000010
【図９】
2008297846.tif 000011